(57)【要約】【課題】  小規模の仮設構造物に対する杭基礎を構築し且つ撤去する際に好適な工法であって、特に安価且つ容易に施工できる複数の杭基礎構造体による簡易杭基礎の構築工法と、バックホウなどによる汎用の建設機械を用いて、各杭基礎構造体を容易且つ迅速に解体撤去できる簡易杭基礎の解体撤去工法を提供する。【解決手段】  複数本の各杭材３を並設して軟弱な基礎地盤１７中に埋設し、基礎地盤１７上に突出させた各杭材３の杭頭部を補強連結材４，５で相互に連結すると共に、補強連結材４，５を含む各杭材３の杭頭部にコンクリート打設して各杭材３と一体に台座２を形成した杭基礎構造体１を造り、基礎地盤１７に対して所定間隔毎に複数個設置して簡易杭基礎を構築すると共に、バックホウ２１などによる汎用の建設機械を用いて、杭基礎構造体１の台座２を梃子状に押し上げて各杭材３と一緒に引き抜き除去し、各杭基礎構造体１毎に一括して解体撤去を可能にした。【選択図】        図１
2006233688.tif 000002
【特許請求の範囲】
【請求項１】
小口径で直状の短尺鋼材による複数本の各杭材を並設して軟弱な基礎地盤中に埋設し、基礎地盤上に突出させた各杭材の杭頭部を補強連結材で相互に連結すると共に、当該補強連結材を含む各杭材の杭頭部にコンクリート打設して各杭材と一体に台座を形成した杭基礎構造体を造り、この杭基礎構造体を仮設構造物に適合させて基礎地盤に対して所定間隔毎に複数個設置したことを特徴とする簡易杭基礎の構築工法。
【請求項２】
前記杭基礎構造体は、各杭材として口径が２０〜５０ｍｍ程度で長さが２〜４ｍの異形鉄筋や形鋼或いは鋼管を使用すると共に、コンクリート製の台座は面積が１ｍ２以下で厚さは１０〜２０ｃｍ程度に設定する請求項１に記載した簡易杭基礎の構築工法。
【請求項３】
前記杭基礎構造体は、平行して隣接する２本の各杭材の頭部側を補強連結材で相互に連結した状態にし、この頭部側の補強連結材をバックホウなどによる汎用の建設機械を用いて押圧しながら、２本を一組として基礎地盤中に埋設する請求項１又は２に記載した簡易杭基礎の構築工法。
【請求項４】
前記杭基礎構造体は、平行して隣接する２本の各杭材の中間部を着脱可能な連結材で相互に連結し、当該連結材が基礎地盤の上面に達したところで取り外すようにした請求項３に記載した簡易杭基礎の構築工法。
【請求項５】
請求項１〜４によって構築した簡易杭基礎上の仮設構造物を解体撤去した後に、バックホウなどによる汎用の建設機械を用いて、杭基礎構造体の台座を梃子状に押し上げて各杭材と一緒に引き抜き除去し、各杭基礎構造体毎に一括して解体撤去を可能にした簡易杭基礎の解体撤去工法。
【発明の詳細な説明】
【技術分野】
【０００１】
本発明は、軟弱な基礎地盤上に構築して使用目的を終えた（数年程度）後には解体して撤去するような小規模の仮設構造物を対象とし、仮設構造物を構築する基礎地盤に設置する複数の杭基礎構造体による簡易杭基礎の構築工法と、仮設構造物を解体及び撤去後に簡易杭基礎を解体して撤去する解体撤去工法に関するものであって、例えばプラント基礎、仮設タンク基礎、仮設事務所などの基礎として適用することができる。
【背景技術】
【０００２】
この種の仮設構造物は、借地などを利用して短期的に構築するものであるから、使用目的を終えた後には原状回復して返却するために仮設構造物は杭基礎も含めて解体して撤去する必要があるが、杭基礎の構築には小口径（例えば、杭径が３００ｍｍ以下）の場所打ち杭やＰＣ杭を用いた各種のマイクロパイル工法などによる在来の杭基礎工法を適用することも可能である。
【０００３】
これらのマイクロパイル工法は、その多くは通常の杭基礎の場合と同様に削孔とパイルや補強材の建て込み及びグラウト注入などの工程で構築されるが、小口径の杭材を使用しているので小型の機械で狭い場所でも施工が可能であること、騒音や振動が小さいことなどの利点があり、例えば桁下での橋梁基礎の耐震補強工事などによく利用されている。
【０００４】
また、マイクロパイル工法のなかには例えば特許文献１に開示されているマイクロパイル打設工法などのように、削孔を行わないでマイクロパイルを旋回挿入するものもあるが、旋回挿入した複数本の各マイクロパイルの杭頭部を相互に連結するために、地表近くを掘削してコンクリートを打設する工程を必要としている。
【０００５】
さらに、小口径のＰＣ杭を用いた簡易的な杭基礎としては、例えば特許文献２に開示されている鋼杭基礎などのように、外周に対して不連続の間隔で螺旋状の翼片を設けた鋼杭複数本を並列に地中へ建て込み、杭頭部を連結材で相互に連結して一本の杭として機能させるようにしたものもある。
【特許文献１】特開２００１−３０３５６７号公報
【特許文献２】特開平５−６５７１６号公報
【発明の開示】
【発明が解決しようとする課題】
【０００６】
しかしながら、特許文献１を含む上記したマイクロパイル工法を用いて、本件が実施対象とする短期使用の仮設構造物を構築する際の杭基礎とした場合には、構築時及び解体撤去時に各種の機材や資材が必要であると共に、工期の短縮を図ることも困難であって、特にフーチング部分の解体作業は容易ではなく、工事全体として工費及び工期が掛かり過ぎるので、コスト・パフォーマンスの上で不適当である。
【０００７】
また、特許文献２の鋼杭基礎を用いた場合には、螺旋状の翼片を設けた複数本の各鋼杭を、構築時には回転させながら押し込んで建て込み、撤去時には回転させながら引き抜く作業が必要であって、特に回転と押し込み又は引き抜き操作を同時に行わなければならないので、これらの作業を能率良く施工するためにはこれに適合する格別な装置が必要であることなどの課題があった。
【０００８】
さらに、特許文献１及び２などによる在来工法の場合には、杭基礎を解体撤去する際に杭頭部の連結部分を取り外した後に、各杭を一本ずつ引き抜かねばならないこと、特に特許文献２などのように建て込んだ各杭の頭部側をコンクリート打設以外の連結手段で連結する場合には、各杭は建て込み位置を精度良く行う必要があること、などによって作業能率を向上することが困難である。
【０００９】
そこで本発明では、小規模の仮設構造物に対する杭基礎を構築し且つ撤去する際に好適な簡易杭基礎の構築及び解体撤去工法を提供するものであって、特に小型の杭基礎構造体を複数用いて簡易杭基礎とすることによって、安価且つ容易に構築することができると共に、バックホウなどによる汎用の建設機械を用いて、各杭基礎構造体毎に一括して容易に解体撤去することができるようにした。
【課題を解決するための手段】
【００１０】
本発明による簡易杭基礎の構築工法は、小口径で直状の短尺鋼材による複数本の各杭材を並設して軟弱な基礎地盤中に埋設し、基礎地盤上に突出させた各杭材の杭頭部を補強連結材で相互に連結すると共に、当該補強連結材を含む各杭材の杭頭部にコンクリート打設して各杭材と一体に台座を形成した杭基礎構造体を造り、この杭基礎構造体を仮設構造物に適合させて基礎地盤に対して所定間隔毎に複数個設置した。（請求項１）
【００１１】
請求項１の簡易杭基礎の構築工法における杭基礎構造体は、各杭材として口径が２０〜５０ｍｍ程度で長さが２〜４ｍの異形鉄筋や形鋼或いは鋼管を使用すると共に、コンクリート製の台座は面積が１ｍ２以下で厚さは１０〜２０ｃｍ程度に設定する形態を採ることができる。（請求項２）
【００１２】
請求項１又は２の簡易杭基礎の構築工法における杭基礎構造体は、平行して隣接する２本の各杭材の頭部側を補強連結材で相互に連結した状態にし、この頭部側の補強連結材をバックホウなどによる汎用の建設機械を用いて押圧しながら、２本を一組として基礎地盤中に埋設する形態を採ることができる。（請求項３）
【００１３】
請求項３の簡易杭基礎の構築工法における杭基礎構造体は、平行して隣接する２本の各杭材の中間部を着脱可能な連結材で相互に連結し、当該連結材が基礎地盤の上面に達したところで取り外すようにした形態を採ることができる。（請求項４）
【００１４】
本発明による簡易杭基礎の解体撤去工法は、請求項１〜４によって構築した簡易杭基礎上の仮設構造物を解体撤去した後に、バックホウなどによる汎用の建設機械を用いて、杭基礎構造体の台座を梃子状に押し上げて各杭材と一緒に引き抜き除去し、各杭基礎構造体毎に一括して解体撤去を可能にしている。（請求項５）
【発明の効果】
【００１５】
本発明の簡易杭基礎の構築工法によると、基礎地盤に対して複数個の小型な各杭基礎構造体を設置するだけで構築することができるので、杭基礎を構築するために杭孔の掘削を行ったり、軟弱地盤の地盤改良を行う必要がなく、杭基礎構造体は杭基礎上に構築する仮設構造物や基礎地盤の状態に適合させて使用個数や配置などを所望に設定することが可能であると共に、不等沈下に対して抑止効果が得られること、などの効果が期待できる。
【００１６】
また各杭基礎構造体は、打設コンクリートによって基礎地盤上に台座が設置されるので、フーチングなどのように基礎地盤を掘削して型枠を設置する必要がなく、各杭材には汎用で安価且つ入手が容易な鋼材を用いているので、製造コストの低減を図ることができ、様々な仮設構造物の杭基礎に共用できるので、工期の短縮を図ることができること、基礎地盤の状況応じて杭材を切断して対応することが可能であること、などの効果が期待できる。
【００１７】
また、請求項３のように平行して隣接する２本の各杭材の頭部側を補強連結材で相互に連結した状態にすると、圧入による埋設作業の回数を少なくして作業能率を向上することができると共に、バックホウなどのバケット底部に頭部を宛って安定した状態で圧入が可能である。
【００１８】
さらに、請求項４のように２本の各杭材の中間部に対して１〜複数個所を連結部材で相互に連結して拘束しておくと、運搬する際や建て込む際などにおける各杭材の形状を平行状態に保持することができると共に、基礎地盤中に圧入する際には各杭材が座屈することを防止することができる。
【００１９】
本発明の簡易杭基礎の解体撤去工法によると、所期の目的を達成して仮設構造物を解体及び撤去した後に、基礎地盤上に露出している各杭基礎構造体の台座に対して、バックホウなどの汎用の建設機械を用いて、梃子状に押し上げて各杭材と一体で容易に引き抜き除去して地盤を原状回復することができるので、解体撤去時における工期の短縮及び工費の軽減を図ること、などの効果が期待できる。
【実施例】
【００２０】
本発明による簡易杭基礎の構築及び解体撤去工法について、本発明を適用した好適な実施形態を示す添付図面に基づいて詳細に説明すると、図１は第１の実施形態による杭基礎構造体１を斜視図で示すが、杭基礎構造体１はコンクリート製の台座２と、異形鉄筋棒や小口径鋼管などによる並設された複数の杭材３で形成されていると共に、各杭材３の頭部側は台座２中に埋設された状態で一体に連結されている。
【００２１】
杭基礎構造体１は、台座２の面積及び厚さ、杭材３の径や長さ及び本数などは、用途などに応じて適宜に選択して設定することが可能であるが、成る可く種類を少なくして各種の仮設構造物に対して共用できる杭基礎にしてコストの低減を図ることが望ましく、杭材３の長さや本数などは必要に応じて切断して使用することが可能であり、杭基礎構造体１の一例を示すと、台座２は面積が１ｍ２以下で厚さは１０〜２０ｃｍ程度とし、杭材３は径が２０〜５０ｍｍ程度で長さが２〜４ｍ程度に設定する。
【００２２】
台座２は、図２で示すように交差状に配置した補強鉄筋４．５などによる補強連結材を設けると共に、各補強鉄筋４．５に各杭材３の頭部側を溶接する態様でコンクリートの内部に埋設する形態を採ったり、図３で示すように交差状に配置した補強板６．７を設けると共に、各補強板６．７には座金８及び上下のナット９を介して、各杭材３の頭部側に設けたねじ部３ａをねじ固着する態様で内部に埋設する形態を採ることができる。
【００２３】
次に、図４は第２の実施形態による杭基礎構造体１１を斜視図で示すが、杭基礎構造体１１は第１の実施形態による杭基礎構造体１の場合と同様にコンクリート製の台座１２と並設された複数の杭材１３で形成されているが、図５で示すように各杭材１３には形鋼が使用されており、図４で図示した実施形態では、１辺が５０ｍｍ程度の等辺山形鋼を用い、各杭材１３の頭部側は台座１２中に埋設された状態で、形鋼などによる補強連結材１４に対して、ねじ締結や溶接その他の固着手段１５を介して一体に連結されている。
【００２４】
次に、図６は第１の実施形態を変形させた第３の実施形態による杭基礎構造体２１であって、図６（ａ）は平面図を図６（ｂ）は正面図を示すが、第１の実施形態の場合と同様にコンクリート製の台座２２と、異形鉄筋棒や小口径鋼管などによる並設された複数の杭材２３で形成されていると共に、各杭材２３の頭部側は台座２２中に埋設された状態で一体に連結されている。
【００２５】
杭材２３は、コ字状に折り曲げ加工した頭部２３Ａと、頭部２３Ａから平行状態で垂直に延在する２本を一対とした直状の埋設部２３Ｂで一体に形成され、このコ字状の頭部２３Ａを台座２２中に埋設させた状態にするが、各杭材２３の頭部２３Ａの下面には複数本の補強鉄筋２４などによる補強連結材を水平状に沿わせ、各杭材２３と各補強鉄筋２４の交叉部はワイヤなどの線状材による結束線（図示を省略）で結束され、型枠を設けた現場施工のコンクリート打設によるコンクリート製の台座２２と一体に連結されている。
【００２６】
杭基礎構造体２１は、図７及び図８で示す工程図によって基礎地盤１７に対して施工することが可能であり、アーム２６の先端にバケット２７を装着したバックホウ２５などの重機を用い、図７（ａ）のように杭材２３の頭部２３Ａにバケット２７の底面を押し当てて、先端側に形成した直状の埋設部２３Ｂを基礎地盤１７中に圧入して埋設させるが、一対の杭材２３における埋設部２３Ｂ間を連結鉄筋２８で繋着して拘束させている。
【００２７】
連結鉄筋２８は、両端に設けたフック状の係合部分を杭材２３の埋設部２３Ｂに係合させ、ワイヤなどの線状材による結束線で結束した着脱可能なものであって、杭材２３の長さに応じて複数個所に装着することができるが、図７（ｂ）のように連結鉄筋２８の装着個所まで杭材２３を圧入したところで取り外し、引き続きバックホウ２５によって杭材２３の圧入を行い、図７（ｃ）のように杭材２３の頭部２３Ａが基礎地盤１７の表面より上方に位置する態様で埋設部２３Ｂを埋設する。
【００２８】
杭材２３は、バックホウ２５を用いた同様の操作によって所定本数を順次圧入して埋設させるが、基礎地盤１７が軟弱な場合には図８（ａ）のように複数本の杭材２３を同時に圧入することも可能であり、埋設した各杭材２３の頭部２３Ａに対しては、図８（ｂ）のように補強鉄筋２４を取り付けると共に、その外周囲に型枠２８を設置させ、型枠２８内にコンクリート２９を打設することによって台座２２を造る。
【００２９】
この第３の実施形態による杭基礎構造体２１の場合には、各杭材２３は２本で一対の埋設部２３Ｂをコ字状の頭部２３Ａで連結した状態になっているので、圧入による埋設作業の回数を少なくして作業能率を向上することができること、バックホウ２５のバケット２７底部に頭部２３Ａを宛って安定した状態で圧入が可能であること、２本で一対の各埋設部２３Ｂ間を連結鉄筋２８で繋着することによって、運搬する際や建て込む際などにおける各杭材の形状を平行状態に保持することができると共に、基礎地盤中に圧入する際における各杭材の座屈を防止することができる。
【００３０】
次に、図９は第２の実施形態を変形させた第４の実施形態による杭基礎構造体３１であって、杭基礎構造体３１は第２の実施形態による杭基礎構造体１１の場合と同様に、コンクリート製の台座３２と並設された複数の杭材３３及び、各杭材３３の頭部側をボルトとナット又は溶接によって一体に連結する補強連結材３４で形成されており、各杭材３３及び補強連結材３４には等辺山形鋼などの鋼材を用いている。
【００３１】
この杭基礎構造体３１では、図面上で左右に平行して隣接する２本の各杭材３３の頭部側を補強連結材３４で連結した状態にし、図７及び図８で示す第３の実施例の場合と同様に、バックホウ２５のバケット２７で頭部側すなわち補強連結材３４を押圧しながら、２本を１組とする各杭材３３を同時に埋設すると共に、同様の構成による複数組の各杭材３３を図面上で前後に平行して隣接する態様で順次埋設する。
【００３２】
この杭基礎構造体３１では、各補強連結材３４に複数の取付け孔を所定間隔毎に設けると共に、各取付け孔に補強鉄筋３５を挿通させることによって、図面上で左右に隣接する各補強連結材３４の間を相互に連結するようにしており、また各杭材３３には所定間隔毎に複数の取付け孔３６を設け、この取付け孔３６を介して補強連結材３７を着脱可能に取付け、この補強連結材３７によって２本の各杭材３３を拘束して第３の実施形態における連結鉄筋２８と同様に、形状の保持及び座屈防止を図るようにしている。
【００３３】
図１０〜１２は、仮設構造物としてコンクリート製の貯蔵タンク１６を構築する場合の実施例を示し、図１０は在来工法による構築例を図１１及び図１２は本発明を適用した実施例を示すものであるが、在来工法では、軟弱な基礎地盤１７上に貯蔵タンク１６などの仮設構造物を構築すると不等沈下する恐れがあるので、図１０のように基礎地盤１７に対して薬注そのた公知の地盤改良法によって地盤改良を行った後に、改良した基礎地盤１７上に基礎コンクリート１８を打設し、その上に貯蔵タンク１６を構築している。
【００３４】
これに対して、本発明を適用した場合は図１１及び図１２のように、基礎地盤１７に対して格別に地盤改良を行うことなく、所定間隔毎に複数（図示では９個）の杭基礎構造体１，１１，２１，３１を設置するが、各杭基礎構造体１，１１，２１，３１は各杭材３，１３，２３，３３を杭頭部が基礎地盤１７上に突出する態様で埋設し、杭頭部を補強部材４，５，６，７，１４で連結すると共に、基礎地盤１７上に型枠を設置して打設コンクリートによって、各杭材３，１３，２３，３３と一体にコンクリート製の台座２，１２，２２，３２を設ける。
【００３５】
これらの杭基礎構造体１，１１，２１，３１は、各杭材３，１３，２３，３３の１本当りの重量が１５Ｋｇ程度以下であって、２本を１組にした場合でも３０Ｋｇ以下であるから、格別に杭打ち機などを用いずに人力及びバックホウなどの重機を用いて容易に設置することが可能であると共に、設置した各杭材３，１３，２３，３３の杭頭部に対しては補強部材による連結及びコンクリート製の台座２，１２，２２，３２の構築を、基礎地盤１７上での作業によって容易且つ迅速に行うことができる、
【００３６】
このように、基礎地盤１７に対して各杭基礎構造体１，１１，２１，３１を設置した簡易杭基礎を構築し、これら各杭基礎構造体１，１１，２１，３１の台座２，１２，２２，３２上には、土台１９及び柱２０を含むコンクリート製の貯蔵タンク１６を仮設構造物として構築するが、各杭基礎構造体１，１１，２１，３１は杭材３，１３，２３，３３の一本あたりの支持力及び引き抜き力を１０数ｋＮ程度以下とし、各杭基礎構造体１，１１，２１，３１の１個所あたりの支持力は１００ｋＮ程度以下に設定して用いる。
【００３７】
これら各杭基礎構造体１，１１，２１，３１による杭基礎では、台座２，１２，２２，３２と各杭材３，１３，２３，３３を組み合わせることによって、双方がほぼ同程度に荷重を負担し、通常の杭基礎に比べて杭の本数を半分程度に減らすことが可能であり、杭の沈下量は支持力の許容内ならば最大でも杭径の１０％程度以下であるから、小口径（杭径50mm程度以内）の杭材３，１３，２３，３３を用いることによって、基礎の沈下量は５mm程度以内に抑制することができる。
【００３８】
従って、これら各杭基礎構造体１，１１，２１，３１による杭基礎は、規模が大きくて恒久的な構造物に対しては杭長さが短くて支持力が不足するので適用できないが、本発明が実施対象としている小規模な仮設構造物に対しては、１本あたりの支持力が小さい小口径の杭材３，１３，２３，３３でも複数本を用いることによって必要な支持力を得ることができると共に、複数本の杭材３，１３，２３，３３を台座２，１２，２２，３２と一体化させることによって、実用に足る沈下抑制効果を得ることができる。
【００３９】
次に、所期の目的を達成した後に仮設構造物及び杭基礎の解体撤去を行う際には、通常の解体工法によって仮設構造物であるコンクリート製の貯蔵タンク１６を解体撤去すると、図１３のように地表に各杭基礎構造体１（又は２１）の台座２（又は２２）が露出するので、バックホウ２５の掘削刃を台座２（又は２２）の下方縁部に差し込み、梃子状に押し上げた後にバックホウ２５を斜め上方へ引き上げると、地中から各杭材３（又は２３）を引き抜いて杭基礎構造体１（又は２１）を除去することができる。
【００４０】
このように、杭基礎構造体１（又は２１）の各杭材３（又は２３）は小口径で短尺であると共に、基礎地盤１７は軟弱であるから、撤去のために必要な引き抜き力は比較的小さくてバックホウ２５で撤去することが可能であり、各杭材３（又は２３）は１列づつ引抜けてゆくので、例えば引抜力が１本あたり１０ｋＮ／本で４本／列とすると、バックホウ重量はその２倍の８ｔ以上が必要となるが、この場合には重量が約１０ｔ程度ある０．４ｍ３級のバックホウを用いればよいことになる。
【００４１】
また、小口径の鋼材（異形鉄筋棒、形鋼、鋼管）による  各杭材３（又は２３）は曲げ剛性が小さく、撤去する際に 各杭材３（又は２３）が湾曲すると共に、台座２（又は２２）は内蔵した補強鉄筋４．５や補強板６．７或いは補強連結材１４によって補強されているので、杭基礎構造体１（又は２１）を除去する際に台座２（又は２２）及び各杭材３（又は２３）との結合部分を破損せずに一体のまま引き抜くことが可能である。
【００４２】
なお、杭基礎構造体１（又は２１）を構成する各杭材３，２３や補強部材４，５，６，７，１４などの資材は、小口径の鋼材（異形鉄筋棒、形鋼、鋼管）で汎用のものであるから、容易且つ安価に調達することが可能であると共に、仮設構造物の構築現場付近において使用条件に適合させ、定尺材を用いて所望に加工をすることも可能である。
【００４３】
すなわち、杭基礎構造体１（又は２１）には小口径の鋼材を使用しているので、ハンドカッターなどで適宜に切断し、地盤条件などによる仕様変更に対して簡単に適合させることが可能であり、例えば地層が傾斜している場合には傾斜に合わせて現場で切断し、杭の長さを調整することが可能であり、想定より支持層が浅くて杭の打設が困難な場合には、支持層に適合させて杭の打設が可能な長さに切断して使用することができる。
【図面の簡単な説明】
【００４４】
【図１】本発明を適用した簡易杭基礎の構築に使用する第１の実施形態による杭基礎構造体を斜視図で示す。
【図２】図１の杭基礎構造体における台座コンクリートの内部構造図であって、（ａ）は横断面図で示し、（ｂ）は縦断面図で示す。
【図３】図１の杭基礎構造体における台座の別の内部構造図であって、（ａ）は横断面図で示し、（ｂ）は縦断面図で示し、（ｃ）は（ｂ）の部分拡大縦断面図で示す。
【図４】本発明を適用した簡易杭基礎の構築に使用する第２の実施形態による杭基礎構造体を斜視図で示す。
【図５】図４の杭基礎構造体における台座コンクリートの内部構造及び杭材との連結状態を部分斜視図で示す。
【図６】本発明を適用した簡易杭基礎の構築に使用する第３の実施形態による杭基礎構造体であって、（ａ）は平面図を示し、（ｂ）は正面図を示す。
【図７】本発明を適用した簡易杭基礎の構築に使用する杭基礎構造体をバックホウによって基礎地盤に埋設する工程の説明図を示す。
【図８】本発明を適用した簡易杭基礎の構築に使用する杭基礎構造体をバックホウによって基礎地盤に埋設する工程の説明図を示す。
【図９】本発明を適用した簡易杭基礎の構築に使用する第４の実施形態による杭基礎構造体を正面図で示す。
【図１０】在来工法によって仮設構造物（貯蔵タンク）を構築する際の概略説明図を示す。
【図１１】本発明を適用して仮設構造物（貯蔵タンク）を構築する際の杭基礎を平面図で示す。
【図１２】図１１の杭基礎上に仮設構造物（貯蔵タンク）を構築する際の部分斜視図を示す。
【図１３】本発明を適用した簡易杭基礎の構築に使用する杭基礎構造体を基礎地盤からバックホウによって除去する工程の説明図を示す。
【符号の説明】
【００４５】
１，１１，２１，３１  杭基礎構造体
２，１２，２２，３２  （コンクリート製の）台座
３，１３，２３，３３  杭材
４，５，２４，３５  補強鉄筋
６，７  補強板
８  座金
９  ナット
１４，３４，３７  補強連結材
１５  固着手段
１６  貯蔵タンク（仮設構造物）
１７  基礎地盤
１８  基礎コンクリート
１９  土台
２０  柱
２５  バックホウ
２６  アーム
２７  バケット
２８  連結鉄筋
３６  取付け孔
【図１】
2006233688.tif 000003
【図２】
2006233688.tif 000004
【図３】
2006233688.tif 000005
【図４】
2006233688.tif 000006
【図５】
2006233688.tif 000007
【図６】
2006233688.tif 000008
【図７】
2006233688.tif 000009
【図８】
2006233688.tif 000010
【図９】
2006233688.tif 000011
【図１０】
2006233688.tif 000012
【図１１】
2006233688.tif 000013
【図１２】
2006233688.tif 000014
【図１３】
2006233688.tif 000015